(57)【要約】      （修正有） 【課題】移動体通信方式の通信装置などでの初期設定における電源との接続施工時などにおいて、負電源方式を採用している各種装置と電源を使用する場合の初期設定時などでの正負電源の誤接続を回避する電源誤接続防止回路を提供する。【解決手段】電源誤接続防止回路４０の装置側負極端子４２と装置側負極端子４３の方向が順方向となるように大電流ダイオード４１を接続し、ＬＥＤ４６とブザー４７とを、装置側正極端子から電源側負極端子間に並列接続する構成として電源誤接続防止回路４０を形成する。そして、装置１０と電源２０の間に該電源誤接続回路４０を配置し、該電源誤接続防止回路４０の該ＬＥＤ４６が点灯し、該ブザー４７が鳴る正常接続信号を確認した後で、該電源誤接続防止回路を取り外し、該装置１０と該電源２０を最終的に接続する。【選択図】図４
0003171998.tif 000002
【実用新案登録請求の範囲】
【請求項１】
負電源と正接地の組み合わせの電源方式を採用した移動体通信装置などの装置と、これに負電源を供給するための電源の間での初期設定実施時などにおいて、電極の正負を逆に接続することによる誤接続により、装置内部の半導体などを破壊することを防止するために、
該装置と該電源を直接接続する前に、電源誤接続防止回路（４０）を、該装置と該電源の間に配置し、最初に、装置正極端子（１２）と電源誤接続防止回路の装置側正極端子(４４)を接続し、次に、装置負極端子（１１）と電源誤接続防止回路の装置側負極端子(４２)を接続し、その後で、該電源誤接続防止回路と電源側正・負極端子と電源の電源正・負極端子を接続し、
該電源誤接続防止回路の正常接続信号をＬＥＤ，ブザーなどで確認した後で、該電源誤接続防止回路を取り外し、該装置と該電源を最終的に接続し、もし、該電源誤接続防止回路の正常接続信号が確認されないときには、該電源の接続を反転し、正負電圧を逆にした後、再度該電源誤接続防止回路の正常接続信号を確認した後で、該電源誤接続防止回路を取り外し、該装置と該電源とを最終的に接続することで構成されていることを特徴とする正極接地装置での電源誤接続防止回路。
【請求項２】
請求項１での電源誤接続防止回路は、電源誤接続防止回路の装置側負極端子と電源側負極端子の間に、装置側負極端子から電源側負極端子への方向が順方向となるように大電流ダイオード（４１）を接続し、装置側正極端子と電源側正極端子を直接接続し、直列接続されたＬＥＤと抵抗、およびブザーとを、装置側正極端子から電源側負極端子間に並列接続する構成とし、正常接続されたときのみ、該ＬＥＤが点灯し、該ブザーが鳴ることを確認することで正しく接続されている確認することが可能となり、もし、該電源が正負誤って接続されたときには、該ＬＥＤが点灯せず、該ブザーが鳴らないことで、誤接続を確認でき、該電源の端子を逆接続し、該ＬＥＤが点灯し、該ブザーが鳴ることを確認することで正しく接続されている確認した後に、該電源誤接続防止回路を取り外し、該装置と該電源を最終的に接続することで構成されていることを特徴とする正極接地装置での電源誤接続防止回路。  
【考案の詳細な説明】
【技術分野】
【０００１】
この発明は、移動体通信方式の基地局の通信装置などでの初期設定、接続施工時、保守・点検などにおける電源接続を実施する時に、外国から輸入された移動体通信機器などの各種装置に使用されている正極接地方式を採用している各種逆接地装置と、これに対応した装置電源の接続を行うときに、電源の正負を誤って接続する誤接続を回避するための正極接地装置での電源誤接続防止回路に関する。
【背景技術】
【０００２】
欧米、特に、北欧ノキアなどの製造メーカから輸入された移動体基地局などに使用される送信機、受信機、変調器/復調器などの各種装置の電源方式は、−４８Vなどの負電源と正極接地が使用される場合が存在する。また、国内でも、交換機、搬送端局装置などでは−４８Vと正極接地が使用されている。
一般的に、米国ヒュ−レット・パッカード（ＨＰ）社などの測定器、多くの国産の通信機器、家庭電化製品などでは、負極接地とプラス電源(正電源) が多く使用されており、ほとんどの日本のエンジニアは正電源に慣れている。
この様な状況で、負電源と正極接地を使用した機器を初期設定するときなどは、正負の接続を間違う可能性があり、この接続を間違うと、大きなシステム損失となる。
このような誤接続を回避するために、懇切丁寧な接続時の注意を与えて設定、施工業務を実施しているが、理解不足、日頃の慣れで、誤接続する事象が生じている。
例えば、図１に示すノキア社の移動体通信装置など正極接地記号６０で示される正極接地方式の通信装置１０と、電池５０で構成された負電圧（−４８V）電源２０の間をケーブル３０，ケーブル３１を用いた接続例では、各電源接続端子の電源接続(色)表示として、装置１０側の電源接続端子の表示は、装置負極端子１１が青色、装置正極端子１２が黒色で表示されている。一方、負電圧（−４８V）電源２０は、電源負極端子２１が赤色、電源正極端子２２が黒色で表示されている。このような表示を基に、取り扱い説明書、または、初期設定時マニュアルに接続方法が説明されており、正しく接続する必要がある。しかし、対応付けの不十分で、理解不足、うっかりミスなどで誤接続が発生している。これを回避するために、施設担当の通信技術者を集めて、図１の色配列を十分説明し、誤接続のないような対策を施しているが、誤接続は完全には回避できない。  
【先行技術文献】
【特許文献】
【０００３】
【特許文献１】特開平０７−００７８４６：「逆バッテリ保護回路」、出願人：モトローラ・インコーポレイティッド、構成：集積回路に電源が適正に接続されると、動作状態となる第一のパストランジスタを含み、電源が不適切に接続されると、第二のトランジスタがアクティブになり、それにより、パストランジスタを非アクティブにし、逆電源電圧が内部回路に印加できないようにするような回路を集積回路内部に組み込んでいる。
【特許文献２】特開２００２−２１８６４５：「電源保護回路及びリムーバブルディスク装置」: 出願人：コニカ（株）、構成：装置の電源入口部に設けられた電源供給をオン/オフする電源スイッチと、過電圧を検出する過電圧検出部を備え、過電圧検出部が過電圧を検出したら、前記の電源スイッチをオフにするように構成する。
【考案の概要】
【考案が解決しようとする課題】
【０００４】
以上のように、日本の一般通信技術者の慣れ親しんでいる負極接地と正電源とは異なった、−４８Vと正極接地を使用した機器の電源との接続は、十分注意して接続しないと、誤接続となり、通信装置内のトランジスタ、ダイオードなどが破壊され、装置が使用不可能となり、装置取替え、納期遅延などのシステムへの経済的な大きなダメージを与える。  
従来技術の中での、特開平０７−００７８４６：「逆バッテリ保護回路」は、集積回路内部に、電源が不適切に接続されると第二のトランジスタがアクティブになるように構成されているが、本実用新案では、装置初期設定、接続工事、保守、試験時などで、装置と電源を接続する前に、電源誤接続防止回路を挿入して試験接続し、確認後に、電源誤接続防止回を取り外し、本格的に接続するもので、特開平０７−００７８４６とは発想が異なる。
特開２００２−２１８６４５：「電源保護回路及びリムーバブルディスク装置」は、過電圧検出回路を具備して供給電源をオン／オフしており、本実用新案では、装置と電源を接続する前に、保護回路を挿入するものであり、大容量ダイオードに電流が流れるか否か誤接続を回避するもので、発想が異なる。
本来、輸入通信装置に、保護回路を入れておけば良いと思われるが、−４８Vと正極接地に慣れている外国メーカは誤接続の概念はなく、また、約１０〜２０Aの耐電流特性を有した大容量ダイオードも部品点数増加となるために、一般的に保護回路は装備されていない。
このような正負電源の誤接続を回避するために、技術者の注意を喚起して間違いなく接続するように指導しているが、誤接続が発生する。
【課題を解決するための手段】
【０００５】
上記の課題を解決するために、装置と−４８V電圧を供給するための電源を、直接接続する前に、本発明の電源誤接続防止回路を挿入し、正しい電源接続のときには、ダイオードに順方向で適切な電流が流れ、誤接続の時には、該ダイオードが逆接続で電流が阻止されることで、逆接続を検出し、これにより誤接続を防止する。
適切な電源接続のときには、ＬＥＤ（発光ダイオード）が点灯し、同時にブザーが鳴動して、目と耳で正常な接続を確認する。このチェックステップをパスしてから、接続の順序をこのまま電源端子配置へ移動して、装置と−４８V電圧を接続することで誤接続なく設備の電源接続を完了することができる。
一方、誤接続の場合は、ＬＥＤは点灯せず、ブザーが鳴動しないために、誤接続であることを通信技術者が認識でき、接続を逆にするべきであることが分かり、接続を逆にして、ＬＥＤ点灯、ブザー鳴動を確認してから装置と−４８V電圧を供給するための電源を接続することで装置の損傷を回避できる。
【考案の効果】
【０００６】
（１）装置と−４８V電圧供給の電源の間に、電源誤接続防止回路を挿入することで、正常な接続時には、必ず電源誤接続防止回路のＬＥＤ点灯とブザー鳴動が確認でき、装置損傷の問題を回避でき、システムの経済的ダメージをゼロにすることが可能である。
（２）装置と−４８V電圧供給の電源の接続の前に、独立した電源誤接続防止回路を個別に挿入して誤接続防止をチェックするために、すべての通信装置などに約１０〜２０Aの耐電流特性を補償する大容量ダイオードを具備する必要がなく、装置経済性の向上に寄与できる。
（３）すでにパッケージ化されている既存の外国製の−４８V電圧を供給の装置の仕様変更は難しく、部品外付けも不可能であるために、装置設置時のみに電源誤接続防止回路を使用し、チェックが完了した後に取り外すことで誤接続を防止できる。
（４）電源誤接続防止回路は、装置設置時のみに一時的に使用し、設置終了後取り外し、他の装置設置時に同じ電源誤接続防止回路が再利用できるので、すべての装置に電源誤接続防止回路が必要ではなく、経済的な安全保護手段となる。
（５）初期設定工事、保守・試験、定期点検、オーバーホールなどでの、装置と−４８V電圧供給の電源の間に接続を必要とする事態が発生した時に、電源誤接続防止回路が誤接続防止バッファーとして挿入され、誤接続を防止できるので、技術者の理解不足、うっかりミス、思い違いによる発生する装置障害などによる経済的損失をゼロにすることが可能である。
（６）電源誤接続防止回路は、簡易な構造であり、廉価・容易に製作可能であるが、この回路を現場に具備しておき、フローチャート通りに接続を実施することで、これまで発生していた誤接続を防止できる。
【図面の簡単な説明】
【０００７】
【図１】既存の電源２０と正接地通信装置１０との間を、ケーブル３０，ケーブル３１を用いた接続した例の構成図を示す。
【図２】本発明の電源誤接続防止回路４０を正常接続している電源２０と装置１０の間に挿入して、正常に電流が流れていることを示す原理的配置図を示す。
【図３】本発明の電源誤接続防止回路４０を誤接続している電源２０と装置１０の間に挿入して、正常に電流が流れないことを示す原理的配置図を示す。
【図４】本発明の実施例の電源誤接続防止回路４０で、ＬＥＤ４６とブザー４７を追加し、正常接続を目と耳で確認することを可能とする電源誤接続防止回路４０の構成図を示す。
【図５】本発明の実施例の電源２０と正接地通信装置１０との間の初期設定のステップを表示したフローチャートを示す。
【考案を実施するための形態】
【０００８】
図２に本発明の電源誤接続防止回路４０を、正常接続している電源２０と装置１０の間に挿入して、正常に電流が流れていることを示す原理的配置図を示す。本発明の電源誤接続防止回路は、電源を接続しようとする対象装置１０、−４８V電圧を供給するための電源２０の間に、電源誤接続防止回路４０を接続することで構成される。電源を接続しようとする対象装置１０は、北欧などの−４８V電圧を使用するメーカの製品で、具体的には、ノキアの移動体通信装置などである。−４８V電圧を供給するための電源２０は、この装置を稼動させるための電源で、装置１０には、−４８V電圧を誤接続なく供給する必要がある。
本発明を使用せず、装置１０と電源２０を直接接続すると、勘違い、思い込み違い、または、無意識に誤接続する可能性が存在する。この誤接続がないことをチェックするために、直接接続の前に、装装置10と電源２０の間に、電源誤接続防止回路40を挿入する。
電源誤接続防止回路４０は、装置電流(約１０〜２０A)に十分耐用できる大電流ダイオード４１を入出力端子の間に配置している。この大電流ダイオード４１は、この電源誤接続防止回路４０が複数の装置設定時に再使用可能であるので、高級なダイオードを使用してもシステム的な経済性ダメージは少ない。
図２では、電源誤接続防止回路４０の装置側負極端子４２から電源側負極端子４３への電流方向が順方向となるように電流５１が流れる、大電流ダイオード４１を接続し、装置側正極端子４４と電源側正極端子４５を直接接続した構成となっている。
このような構成で、電源誤接続防止回路４０の装置側負極端子４２と装置負極端子１１、装置側正極端子４４と装置正極端子１２、電源誤接続防止回路40の電源側負極端子４３と電源負極端子２１、電源側正極端子４５と電源正極接地端子２２の間をそれぞれクリップなどの手段で仮接続する。
この接続は、正常に接続された場合であり、規定の電流が大電流ダイオード４１を流れ、装置１０は正常に作動する。    
図３は、本発明の電源誤接続防止回路４０を誤接続している電源２０と装置１０の間に挿入した場合に、正常に電流が流れないことを示す原理的配置図を示す。もし、図３に示されるように、電源誤接続防止回路４０の電源側負極端子４３と電源正極接地端子２２、電源側正極端子４５と電源負極端子２１を接続すると、誤接続であるために、大電流ダイオード４１には電流が流れず、装置１０は作動しない。これにより誤接続が認識される。
図４は、電源誤接続防止回路４０の取り扱いをさらに改善するために、電源誤接続防止回路４０内に 、ＬＥＤ４６とブザー４７及びＬＥＤ保護抵抗４８を追加し、正常接続を目と耳で確認することを可能とする電源誤接続防止回路４０の具体的構成図を示す。
図４では、電源誤接続防止回路４０の装置側正極端子４４側から装置側負極端子４２側への電流方向が順方向となるようにＬＥＤ４6とＬＥＤ保護抵抗４８を接続し、これと並列にブザー４７を接続した構成回路となっている。
図４のように、電源２０と装置１０が正常接続された場合は、大電流ダイオード４１に電流が流れ、ＬＥＤ４６が点灯し、ブザー４７が鳴動する。これにより、担当技術者は正常に電源が接続されていることを、目と耳で確認できる。
【実施例】
【０００９】
図４に示す電源誤接続防止回路４０にＬＥＤ４６とブザー４７を組み込んだ電源誤接続防止回路４０を用いたときの−４８Ｖ電源２０と正極接地通信装置１０の実施例を説明する。
図５は、この発明の電源誤接続防止回路の具体的な運用時のフローチャートを示す。
ステップ１００で、装置１０、−４８V電圧を供給するための電源２０が、工事設計書に準拠して、所定の場所に配置される。この電源２０を直ちに接続するのではなく、まず、電源誤接続防止回路４０の装置側正極端子４４と装置正極端子１２を接続し、さらに、電源誤接続防止回路４０の電源側負極端子４３と電源負極端子２１を接続する。このステップは、電源誤接続防止回路４０の装置側正極端子４４と装置正極端子１２の表示が明確に確認できるように色分け、あるいは名称表示してあるので、問題なく接続できる。
ステップ１１０で、電源誤接続防止回路４０が電源２０の間に設置され各端子が接続される。電源誤接続防止回路４０の電源側負極端子４３と電源負極端子２１、電源側正極端子４５と電源正極接地端子２２の間を接続するのであるが、この場合は、電源の正負を正確に確認していない場合もあり、誤接続の可能性もある。以上の準備ステップの後で、ステップ１２０に進む。
ステップ１２０で、電源２０のスイッチをオンとする。ステップ１３０で、ＬＥＤ４６が点灯し、ブザー４７が鳴動するかどうかを決定する。もし、ＬＥＤ４６が点灯し、ブザー４７が鳴り、正常接続が確認される（ＹＥＳ）時には、正常接続であることが判定されステップ１４０に進む。ステップ１４０で、電源誤接続防止回路４０を取り除き、ステップ１５０で装置１０と電源２０の各電源端子を、そのままの配置通りとして、装置１０と電源２０の間を接続し、ステップ１６０で接続を完了する。
もし、ステップ１３０で、LED４６が点灯せず、とブザー４７が鳴動しない（NO）の場合は、ステップ１３０で、誤接続であることが判定される。このときは、ステップ１７０で、電源２０の電源端子の電源正極端子２２と電源負極端子２１を反転する。ステップ１８０で、LED４６が点灯し、ブザー４７が鳴動することを確認する。ステップ１９０で、電源誤接続防止回路４０を取り除く。ステップ２００で、端子の配置通りに装置１０と電源２０の間の接続を実施し、ステップ２１０で接続を完了する。
これにより、誤接続の確率をゼロとすることが可能となり、システム構築上の誤接続を除去することが可能となる。
上の説明では、正常接続であることが判定されると、ＬＥＤ４６が点灯し、ブザー４７が鳴り、正常接続が確認される構成について説明しているが、ブザー４７の電極端子を＋、−を逆に接続する構成とすることで、誤接続時にブザー４７が鳴り、アラームとして誤接続を通知することが可能となる。
以上の回路を実験的に作成し、説明で述べた通りの正常動作を確認している。
【産業上の利用可能性】
【００１０】
本発明では、対象装置１０、−４８V電圧を供給するための電源２０の間の接続を対象として説明したが、ダイオードの向きを逆にすると、一般的に用いられているプラス電源と負極接地方式を採用している装置と電源間の誤接続防止方式にも利用できる。
具体的な回路構成として、負極接地方式と正極接地方式を切り替えるための切り替え器を具備し、この切り替え器で接続を、負極接地方式から正極接地方式に切り替える構造とすることにより、負極接地方式の装置と電源を接続する作業と、正極接地方式の装置と電源を接続する作業を切り替えて作業することが可能となり、より汎用性が拡張できる。
【符号の説明】
【００１１】
１０：装置、１１：装置負極端子、１２：装置正極端子、２０：電源、２１：電源負極端子、２２：電源正極端子、３０：ケーブル，３１：ケーブル、４０：電源誤接続防止回路、４１：大電流ダイオード、４２：装置側負極端子、４３：電源側負極端子、４４：装置側正極端子、４５：電源側正極端子、４６：ＬＥＤ、４７：ブザー、４８：抵抗、５０：電池、５１：電流、６０：正極接地記号（G）、
【図１】
0003171998.tif 000003
【図２】
0003171998.tif 000004
【図３】
0003171998.tif 000005
【図４】
0003171998.tif 000006
【図５】
0003171998.tif 000007
【手続補正書】
【提出日】平成23年3月28日(2011.3.28)
【手続補正１】
【補正対象書類名】実用新案登録請求の範囲
【補正対象項目名】全文
【補正方法】変更
【補正の内容】
【実用新案登録請求の範囲】
【請求項１】
負電源と正接地の組み合わせの電源方式を採用した移動体通信装置などの装置と、これに負電源を供給するための電源の間での初期設定実施時などにおいて、電極の正負を逆に接続することによる誤接続により、装置内部の半導体などを破壊することを防止するために、電源誤接続防止回路の装置側負極端子と電源側負極端子の間に、装置側負極端子から電源側負極端子への方向が順方向となるように大電流ダイオード（４１）を接続し、装置側正極端子と電源側正極端子を直接接続し、直列接続されたＬＥＤと抵抗、およびブザーとを、装置側正極端子から電源側負極端子間に並列接続する構成とし、正常接続されたときのみ、該ＬＥＤが点灯し、該ブザーが鳴ることを確認することで正しく接続されている確認し、もし、該電源が正負誤って接続されたときには、該ＬＥＤが点灯せず、該ブザーが鳴らないことで、誤接続を確認できることで構成されていることを特徴とする正極接地装置での電源誤接続防止回路。  
【請求項２】
電極の正負を逆に接続することによる誤接続により、装置内部の半導体などを破壊することを防止するために、該装置と該電源を直接接続する前に、電源誤接続防止回路（４０）を、該装置と該電源の間に配置し、最初に、装置正極端子（１２）と電源誤接続防止回路の装置側正極端子(４４)を接続し、次に、装置負極端子（１１）と電源誤接続防止回路の装置側負極端子(４２)を接続し、その後で、該電源誤接続防止回路と電源側正・負極端子と電源の電源正・負極端子を接続し、該電源誤接続防止回路の正常接続信号をＬＥＤ，ブザーなどで確認した後で、該電源誤接続防止回路を取り外し、該装置と該電源を最終的に接続し、もし、該電源誤接続防止回路の正常接続信号が確認されないときには、該電源の接続を反転し、正負電圧を逆にした後、再度該電源誤接続防止回路の正常接続信号を確認した後で、該電源誤接続防止回路を取り外し、該装置と該電源とを最終的に接続することで構成されていることを特徴とする正極接地装置での電源誤接続防止回路。
【手続補正書】
【提出日】平成23年7月11日(2011.7.11)
【手続補正１】
【補正対象書類名】実用新案登録請求の範囲
【補正対象項目名】全文
【補正方法】変更
【補正の内容】
【実用新案登録請求の範囲】
【請求項１】
負電源と正接地の組み合わせの電源方式を採用した移動体通信装置などの装置と、これに負電源を供給するための電源の間での初期設定実施時などにおいて、電極の正負を逆に接続することによる誤接続により、装置内部の半導体などを破壊することを防止するために、電源誤接続防止回路の装置側負極端子と電源側負極端子の間に、装置側負極端子から電源側負極端子への方向が順方向となるように大電流ダイオード（４１）を接続し、装置側正極端子と電源側正極端子を直接接続し、直列接続されたＬＥＤと抵抗、およびブザーとを、装置側正極端子から電源側負極端子間に並列接続する構成とし、正常接続されたときのみ、該ＬＥＤが点灯し、該ブザーが鳴ることを確認することで正しく接続されている確認し、もし、該電源が正負誤って接続されたときには、該ＬＥＤが点灯せず、該ブザーが鳴らないことで、誤接続を確認できることで構成されていることを特徴とする正極接地装置での電源誤接続防止回路。